(57)【要約】【課題】下枠の上面の障子よりも室内側に浸入した雨水等を室外側に排水でき、その雨水等が強風雨時に室内側にしぶきにくく、しかも製作コストが安いサッシとする。【解決手段】縦枠４の中空部４ａを排水用開口部１０でサッシの室内側空間Ａに開口し、下枠３の上面３ａにおける雨水溜め部１１に溜った雨水等が前述の排水用開口部１０の下部から縦枠４の中空部４ａに流出して室外側に排水できるようにし、前記縦枠４の中空部４ａの気圧が排水用開口部１０の上部から室内側空間Ａに逃げて雨水溜め部１１に溜った雨水等が室内側にしぶきにくくしたサッシで、前述の排水用開口部１０で浸入した雨水等を排水すると共に、縦枠４の中空部４ａ内の気圧を室内側空間Ａへの逃がすので、排水のための加工個所が少なく製作コストの安いサッシである。【選択図】図３
2005282051.tif 000002
【特許請求の範囲】
【請求項１】
上枠と下枠と左右の縦枠を備えたサッシ枠に障子を開閉自在に装着したサッシにおいて、
前記縦枠は、室外側に連通した中空部を有すると共に、その中空部がサッシにおける障子より室内側空間に開口した排水用開口部を有し、
この排水用開口部の下部は、前記下枠の上面における障子よりも室内側部分の雨水溜め部と連続し、かつその上部は前記雨水溜め部に溜った雨水等の最高水位よりも上方に位置していることを特徴とするサッシ。
【請求項２】
下枠の上面にカバー体を設け、このカバー体で排水用開口部を覆うと共に、このカバー体に排水用開口部の上部を室内側空間に連通する空気抜き孔部を形成した請求項１記載のサッシ。
【請求項３】
下枠は中空部を有し、その下枠の中空部は縦枠の中空部に連通し、この下枠の中空部を排水孔で室外側に開口した請求項１又は２記載のサッシ。
【発明の詳細な説明】
【技術分野】
【０００１】
本発明は、サッシ枠に障子を開閉自在に装着したサッシ、詳しくはサッシ枠と障子との間の水密部から浸入した雨水等を室外側に排水する構造に関する。
【背景技術】
【０００２】
サッシ枠に障子を開閉自在に装着したサッシにおいては、そのサッシ枠と障子との間を水密材によって水密して障子よりも室内側に雨水等が浸入しないようにしている。
しかしながら、強風雨時には、水密部を通って雨水等が障子よりも室内側に浸入することがある。
この室内側に浸入した雨水等は下枠上面に溜り、その水位が下枠室内側部よりも高くなると室内側に流れるので、その雨水等を室外側に排水するようにしたサッシが特許文献１に開示されている。
このサッシは、下枠の上面における障子よりも室内側に溜った雨水等を集水口で下枠の中空部に導入し、その中空部を通して排水口から室外側に排水するようにし、前記中空部を空気抜き孔でサッシにおける障子よりも室内側の空間に連通して強風雨時に中空部の気圧が高まっても、その気圧を直ちに前述の室内側の空間に逃すことで、集水口からの吹き出しがないようにし、前述の下枠の上面に溜った雨水等が室内側にしぶきにくくしている。
【０００３】
【特許文献１】特開２０００−１７９６５号公報
【発明の開示】
【発明が解決しようとする課題】
【０００４】
前述の従来のサッシは、下枠に集水口、排水口を加工すると共に、この集水口とは別に空気抜き孔を加工するので、排水のための加工個所が多く、その加工作業が面倒で、時間がかかるから、製作コストが高いサッシである。
【０００５】
本発明の目的は、下枠の上面における障子よりも室内側に浸入した雨水等を室外側に排水でき、その雨水等が強風雨時に室内側にしぶきにくく、しかも排水のための加工個所が少なく製作コストが安いサッシを提供することである。
【課題を解決するための手段】
【０００６】
本発明は、上枠と下枠と左右の縦枠を備えたサッシ枠に障子を開閉自在に装着したサッシにおいて、
前記縦枠は、室外側に連通した中空部を有すると共に、その中空部がサッシにおける障子よりも室内側空間に開口した排水用開口部を有し、
この排水用開口部の下部は、前記下枠の上面における障子よりも室内側部分の雨水溜め部と連続し、かつ上部は前記雨水溜め部に溜った雨水等の最高水位よりも上方に位置していることを特徴とするサッシである。
【０００７】
前述のサッシにおいては、下枠の上面にカバー体を設け、このカバー体で排水用開口部を覆うと共に、このカバー体に排水用開口部の上部を室内側空間に連通する空気抜き孔部を形成することが好ましい。
このようにすれば、排水用開口部がカバー体で見えないから見栄えが良い。
また、縦枠の中空部の気圧が空気抜き孔部から直ちに室内側空間に逃げるので、雨水溜め部に溜った雨水等が強風雨時に室内側にしぶくことがより低減する。
【０００８】
前述のサッシにおいては、下枠は中空部を有し、その下枠の中空部が縦枠の中空部に連通し、この下枠の中空部を排水孔で室外側に開口することが好ましい。
このようにすれば、排水孔の数や大きさで、その面積を調整することによって、中空部内の圧力を外気よりも低くして、その中空部内の圧力と室内側空間の圧力の圧力差を小さくすることができるから、下枠の雨水溜め部に溜った雨水等を中空部を通して室外側にスムーズに排水できる。
【発明の効果】
【０００９】
請求項１に係る発明によれば、強風雨時に下枠の上面における障子よりも室内側に浸入した雨水等は、排水用開口部の下部から縦枠の中空部を通って室外側に排水される。
また、強風雨時に縦枠の中空部の気圧が高くなった場合には、その気圧が排水用開口部の上部からサッシにおける障子よりも室内側空間に逃げるので、前述の浸入し雨水溜め部に溜った雨水等が室内側にしぶきにくい。
また、浸入した雨水等を排水する排水用開口部を利用して縦枠の中空部の気圧を室内側空間に逃がすので、排水のための加工個所が少なく、加工作業が簡単で、短時間に加工できるから、製作コストの安いサッシである。
【発明を実施するための最良の形態】
【００１０】
図１と図２に示すように、サッシを構成するサッシ枠１は上枠２と下枠３と左右の縦枠４を方形枠組みしてある。
前記サッシ枠１内に障子５が開閉自在に装着してある。
この障子５とサッシ枠１との間が水密材で水密され、障子５よりも室内側に室外側から雨水等が浸入しないようにしてある。
このようにしても、強風雨時に前述の水密部を通って雨水等が障子５よりも室内側に浸入することがあり、その室内側に浸入した雨水等は下枠３の上面３ａにおける障子５よりも室内側部分に溜る。
【００１１】
この実施の形態では、内障子５ａと外障子５ｂを備えた引き違いサッシとしてある。そして、内障子５ａ、外障子５ｂを構成する上框６と上枠２、下框７と下枠３、戸当り框８と縦枠４の間がそれぞれ気密材９で水密され、図示しない召合せ框相互が召合せ気密材で水密されて、前記内障子５ａ、外障子５ｂよりも室内側に雨水等が浸入しないようにしてある。
このようにしても、強風雨時に水密部を通して内・外障子５ａ，５ｂよりも室内側に雨水等が浸入することがあり、その雨水等は下枠３の上面３ａにおける外障子５ｂと対向した部分に溜る。
なお、サッシは引き違いサッシに限ることはなく、片引きサッシ、三枚建てサッシ、外開きサッシ、内開きサッシ、すべり出しサッシ等でも良いことは勿論である。
【００１２】
前記縦枠４は中空部４ａを有している。この中空部４ａは排水用開口部１０で前記サッシにおける障子５よりも室内側空間Ａに開口している。
この排水用開口部１０は図３と図４に示すように、前記下枠３の上面３ａにおける浸入した雨水等が溜る雨水溜め部１１と室内外側方向に同一である。
そして、排水用開口部１０の下開口縁１０ａは前記雨水溜め部１１における下枠３の上面３ａと同一、又は高く、かつその雨水溜め部１１に溜った雨水等の最大水位Ｈよりも低い位置で、この排水用開口部１０の下部が雨水溜め部１１と連続し、その雨水溜め部１１に溜った雨水等を縦枠４の中空部４ａに排水する雨水排水部である。前記最大水位Ｈは図３に示すように下枠３の室内側立上り部３ｂの高さで決定される。つまり、雨水溜め部１１に溜った雨水は室内側立上り部３ｂを越えて室内側に流入するので、その水位は室内側立上り部３ｂ以上にはならない。
前記排水用開口部１０の上開口縁１０ｂは最大水位Ｈよりも高い位置で、その排水用開口部１０の上部が、縦枠４の中空部４ａ内の気圧（空気圧）を前述の室内側空間Ａに逃がす空気抜き部である。
前記縦枠４の中空部４ａは室外側に開口連通している。
【００１３】
このようであるから、強風雨時に障子５の室内側に浸入した雨水等は下枠３の上面３ａにおける雨水溜め部１１に溜る。
この雨水溜め部１１に溜った雨水等は排水用開口部１０の下部から縦枠４の中空部４ａに流出し、その中空部４ａから室外側に排水される。
また、強風雨時に中空部４ａの気圧が高まっても、その気圧を直ちに排水用開口部１０の上部から前述の室内側空間Ａに逃がすので、その中空部４ａの気圧で雨水溜め部１１に溜った雨水が室内側にしぶきにくい。
【００１４】
この実施の形態では、外障子５ｂの戸当り框８が当接する左右一方の縦枠４に排水用開口部１０が形成してある。
前記下枠３の上面３ａにおける外障子５ｂよりも室内側部に雨水が溜り、その雨水が排水用開口部１０から中空部４ａに流出する。
また、下枠３は中空部３ｃを有し、この中空部３ｃが縦枠４の中空部４ａと連通し、下枠３の室外側部に排水孔１２が形成してあるから、縦枠４の中空部４ａに流出した雨水等は下枠３の中空部３ｃに流れ込み、排水孔１２から室外側に排水される。
例えば、図４に示すように下枠３の長手方向端面３ｄが縦枠４の内面４ｂに突き当てて連結され、縦枠４の中空部４ａの下部を蓋１３等で閉塞し、連通孔１４を形成して縦枠４の中空部４ａの下部寄りを下枠３の中空部３ｃに連通する。
【００１５】
前記排水用開口部１０はカバー体２０で覆われている。
このカバー体２０は、下枠３の上面３ａにおける雨水溜め部１１を形成する部分に、縦枠４の内面４ｂに接するように取付けてあり、前記排水用開口部１０を覆って目視されないようにしてある。
前記カバー体２０の上面２０ａには空気抜き孔部２１が形成され、この空気抜き孔部２１は前述の最大水位Ｈよりも高い位置で、排水用開口部１０の上部（空気抜き部）を室内側空間Ａに連通している。
これによって、縦枠４の中空部４ａ内の気圧が排水用開口部１０の上部から空気抜き孔部２１を通って室内側空間Ａに逃げるので、雨水溜め部１１に溜った雨水等が室内側にしぶくことがより低減する。
【００１６】
前記カバー体２０の形状を図３、図４、図５に基づいて説明するが、これに限ることはない。
上面板２２と一端板２３と室内側縦板２４と中間縦板２５で下面と他端面と室外側面が開口したほぼ箱形状で、その上面板２２の縦枠４の室内面４ｂに接する端面が切欠きされ、その切欠部２２ａと縦枠４の内面４ｂによって前述の空気抜き孔部２１を形成している。
そして、中間縦板２５が下枠３の内下レール１５の室外側面に接し、かつ上面３ａに載置するように取付けられる。
このようであるから、縦枠４の中空部４ａ内の気圧は、その縦枠４の内面４ｂに沿って室内側空間Ａに逃げるので、前述の雨水溜め部１１に溜った雨水等が室内側にしぶくことがより一層低減する。
【００１７】
前記上面板２２は階段形状に折り曲げてあり、その高部２２ｂが縦枠４の内面４ｂにおける排水用開口１０よりも上方位置に接し、低部２２ｃが最大水位Ｈとほぼ同一高さである。なお、この高部２２ｂに孔を形成して空気抜き孔部２１としても良い。
前記内障子５ａを開放するとカバー体２０の一端板２３に当接して内障子５ａの召合せ框が一方の縦枠４の内面４ｂに衝突しないようにしてある。
つまり、カバー体２０はクレセントストッパーを兼用している。
前記カバー体２０は図５に示すように、上面板２２の高部２２ｂ寄りの室外側部に室外側縦板２６を備えている。
【００１８】
この実施の形態では、上枠２、下枠３、縦枠４が一体形状であるが、複数の枠部材で構成しても良い。
例えば、図６と図７に示すように、外側枠部材３０と内側枠部材３１をビス３２で連結して中空部２ａ，３ｃ，４ａを有する上枠２、下枠３、縦枠４とする。
そして、各外側枠部材３０をブラケット３３と固着具３４で建物躯体３５のサッシ取付開口部３６に取付ける。
前記下枠３の外側枠部材３０に排水孔１２を形成する。
前記縦枠４の内側枠部材３１に排水用開口部１０を形成し、前記下枠３の内側枠部材３１にカバー体２０を取付ける。
【００１９】
このようにすれば、サッシ枠１を建物躯体３５に取付けた状態で、ビス３２を室外側から弛めることで、各枠の内側枠部材３１を取り外しできるので、その各内側枠部材３１を交換することが可能である。
【図面の簡単な説明】
【００２０】
【図１】サッシの縦断面図である。
【図２】サッシの横断面図である。
【図３】図２のＢ−Ｂ拡大断面図である。
【図４】図２のＣ−Ｃ拡大断面図である。
【図５】カバー体の斜視図である。
【図６】第２の実施の形態を示すサッシの縦断面図である。
【図７】第２の実施の形態を示すサッシの横断面図である。
【符号の説明】
【００２１】
１…サッシ枠、２…上枠、３…下枠、３ａ…上面、４…縦枠、４ａ…中空部、４ｂ…内面、５…障子、５ａ…内障子、５ｂ…外障子、１０…排水用開口部、１１…雨水溜め部、１２…排水孔、２０…カバー体、２１…空気抜き孔部、Ａ…室内側空間。
【図１】
2005282051.tif 000003
【図２】
2005282051.tif 000004
【図３】
2005282051.tif 000005
【図４】
2005282051.tif 000006
【図５】
2005282051.tif 000007
【図６】
2005282051.tif 000008
【図７】
2005282051.tif 000009